(57)【要約】      （修正有）【課題】製造コストを削減し、衛生面における問題も解消するとともに、団子、焼き鳥、串焼き等の串刺し食品を最後まで容易に食することができる串抜き具を提供する。【解決手段】串抜き具１は、側面部３、底面部４、および上部の開口部５を備える本体部２と、本体部に形成された、中央開孔部６と、側面部の周縁から中央開孔部に連通されたスリット７と、を備える。串の基部をスリットに沿って挿入し、串に刺してある食材を下部より押し上げることにより、指で食材に直接触れることなく手元の食材を串先に移送させることができる。開口部５の径は、底面部４の径よりも大径に形成されて、側面部に凹凸部８が形成され、さらに本体部に宣伝効果と見栄えを向上させる記載部が形成されているのが好ましい。【選択図】図１
0003204878.tif 000002
【実用新案登録請求の範囲】
【請求項１】
側面部、底面部、および上部の開口部を備える本体部と、該本体部に形成された、中央開孔部と、前記側面部の周縁から中央開孔部に連通されたスリットと、を備えることを特徴とする串抜き具。
【請求項２】
前記開口部の径は、底面の径よりも大径に形成されている請求項１記載の串抜き具。
【請求項３】
前記側面部に凹凸部が形成されている請求項１または２記載の串抜き具。
【請求項４】
前記本体部に記載部を形成した請求項１乃至３のうちいずれか１項に記載の串抜き具。
【考案の詳細な説明】
【技術分野】
【０００１】  本考案は、団子、焼き鳥、串焼き等の串刺し食品を容易に、且つ衛生的に食することができる串抜き具に関する。
【背景技術】
【０００２】  一般的に、串に刺した焼き鳥や団子を食する際、串の基部分を指で摘み、串の先方に刺されている食材から順に食べていく。しかし、串の手元に刺されている食材は、串を横に配置させて横から食べなければならず、口元が汚れて見た目も良くない。また、手元の食材を指で先方に移動させて食べることもあるが、指が汚れるとともに衛生面でも問題が生じた。
【先行技術文献】
【特許文献】
【０００３】  それらの問題を解消するために、指や口の周りを汚さずに且つ安全に焼き鳥等の串物が食べられる串抜き機能付き皿がある（例えば特許文献１参照）。
上掲特許文献１の串抜き機能付き皿は、皿の縁の一部を立ち上げて形成し、該立ち上げた部分の周囲に焼き鳥等の串物の串を差し込むための溝を少なくとも１つ設けたことを特徴とする。
【特許文献１】  特開２０１０−８２０９６公報
【考案の概要】
【考案が解決しようとする課題】
【０００４】  しかしながら、上掲特許文献１の串抜き機能付き皿は、皿の縁の一部を立ち上げて形成し、該立ち上げた部分の周囲に焼き鳥等の串物の串を差し込むための溝を少なくとも１つ設けた構造からなるため、製造面におけるコストアップに繋がるという欠点があった。また、溝内に雑菌が入り込む心配があり、衛生面における問題も残った。【０００５】  そこで本考案は上記の点に鑑み、製造コストを削減し、衛生面における問題も解消するとともに、団子、焼き鳥、串焼き等の串刺し食品を最後まで容易に食することができる串抜き具を提供することにある。
【解決を解決するための手段】
【０００６】  上記課題を解決するため、本考案の串抜き具は、側面部、底面部、および上部開口部を備える本体部と、該本体部に形成された、中央開孔部と、前記側面部の周縁から中央開孔部に連通されたスリットと、を備えることを特徴とする
【０００７】  また前記開口部の径は、底面の径よりも大径に形成されている。
【０００８】  また、前記側面部に凹凸部が形成されている。
【０００９】  さらに、前記本体部に記載部を形成した。
【考案の効果】
【００１０】  側面部、底面部、および上部開口部を備える本体部と、該本体部に形成された、中央開孔部と、前記側面部の周縁から中央開孔部に連通されたスリットとを備えることにより、製造コストを大幅に削減することができる。
【００１１】  また、串の基部をスリットに沿って挿入し、串に刺してある食材を下部より押し上げることにより、手元の食材を串先に移送させることができ、高い利便性を発揮することができる。さらに、指で食材を直接触れることがないので、不愉快な思いをすることがなく、さらに衛生面でも優れる。
【図面の簡単な説明】
【００１２】
【図１】本考案の串抜き具の全体斜視図である。
【図２】前記串抜き具の平面図である。
【図３】前記串抜き具の使用方法平面図である。
【図４】本考案の串抜き具の使用状態斜視図である。
【図５】本考案の串抜き具の使用状側面図である。
【図６】本考案の串抜き具の使用状側面図である。
【図７】串抜き具を積層した状態の斜視図である。
【図８】他の好適例、本考案の串抜き具の平面図である。
【考案を実施するための形態】
【００１３】  本考案の串抜き具は、製造コストを削減し、衛生面における問題も解消するとともに、団子、焼き鳥、串焼き等の串刺し食品を最後まで容易に食することができることを特徴とする。
以下、本考案の串抜き具における実施の形態を図面に基づいて説明する。
【００１４】  図１及び図２に示す串抜き具１は、紙や樹脂フィルム、またアルミシート等の薄状シートにて形成されている。また串抜き具１は、側面部３、底面部４、および上部の開口部５を備える本体部２と、該本体部２に形成された、中央開孔部６と、前記側面部３の周縁から中央開孔部６に連通されたスリット７とを備える。
【００１５】  また前記開口部５の径は、底面部４の径よりも大径に形成され、側面形状が台形を呈している。そのことにより、串に刺してある食材を下部より押し上げる際の利便性が得られる。
【００１６】  また、前記側面部３には波形状の凹凸部８が形成されている。前記側面部３に凹凸部８を形成することで強度が増すとともに、外観面における見栄えが向上する。また図７に示すように、複数枚を規則正しく積層することもできる。
【００１７】  また他の好適例として、図８に示すように、前記本体部２に記載部９を形成してもよい。また特に前記記載部９は、底面部４の内側に形成することが好ましい。記載部９には店の名前や各種のデザインを施すことができ、宣伝効果と見栄えを向上させることができる。
【００１８】  次に、本考案の串抜き具の使用方法を図３乃至図６に基づいて説明する。
先ず、図３の（ａ）に示すように、串１０の手元部分に串抜き具１のスリット７を配置させる。この状態で、（ｂ）に示すように、串抜き具１をスリット７に沿って串１０方向に移行させる。さらに串抜き具１を移行させると、串１０は中央開孔部６に配置される。
【００１９】  中央開孔部６に串１０を配置させると、図４に示すように、串抜き具１は最下部の食材Ａの下方にセットされる。なお、前記食材Ａは、図示するような円形の団子やつくねに限定されるものではなく、鶏肉の間にネギを介在させた焼き鳥や串物、また三角形状の田楽等のさまざまな形状の食材に好適に使用できることは言うまでもない。
【００２０】  串抜き具１を最下部の食材Ａの下方にセットした後、通常のように串１０の先方に刺さった食材Ａを食する。例えば、図５に示すように、食材Ａを食べて串１０の先部分が露出した状態となったら、図６に示すように、串抜き具１を先方にスライドさせる。すると、残った食材Ａが串１０の先方に移動し、食材Ａを食べやすい位置に移動させることができる。
【００２１】  なお、通常のように串１０の先方にある食材Ａを食べた後、串抜き具１を最下部の食材Ａの下方にセットしてもよい。そして上述のように、食材Ａを串１０の先方に移動させて食する。そのことにより、指先を汚すことなく、串に刺さった食材Ａを容易に、且つ衛生的に食べることができる。
【００２２】  また、本考案の串抜き具は薄状のシートにて形成されているため、図７に示すように、複数枚を正しく積層することができ、収納や配置場所確保の利便性が高まる。さらに、廉価にて大量生産が可能であるため、一回毎に使い捨てすることができ、より衛生面において優れた効果が得られる。
【符号の説明】
【００２３】１    串抜き具
２    本体部
３    側面部
４    底面部
５    開口部
６    中央開孔部
７    スリット
８    凹凸部
９    記載部
１０  串
Ａ    食材
【図１】
0003204878.tif 000003
【図２】
0003204878.tif 000004
【図３】
0003204878.tif 000005
【図４】
0003204878.tif 000006
【図５】
0003204878.tif 000007
【図６】
0003204878.tif 000008
【図７】
0003204878.tif 000009
【図８】
0003204878.tif 000010